(57)【要約】【課題】  光ピックアップアクチュエータを提供する。【解決手段】  対物レンズが搭載されたブレードと、ブレードをベース上の所定ホルダーに対して遊動自在に支持する弾力支持材と、ベースに設置されるマグネットと、マグネットと対面するようにブレードに設置されたパターンコイルとを含み、パターンコイルにはトラッキングコイルと、該トラッキングコイルの両側に対称するように配置された少なくとも１対のフォーカスコイルが設けられて、１対のフォーカスコイルに流れる電流の方向に応じてフォーカス方向とチルト方向の駆動が選択的に行われるように構成されている。このような構成によれば、フォーカス及びトラッキング制御のみならず、チルト制御も容易に行えて制御の精密度をさらに向上させ得る。【選択図】  図４
2004281038.tif 000002
【特許請求の範囲】
【請求項１】
対物レンズが搭載されたブレードと、
前記ブレードをベース上の所定ホルダーに対して遊動自在に支持する弾力支持材と、
前記ベースに設置されるマグネットと、
前記マグネットと対面するように前記ブレードに設置されるものであって、トラッキングコイルと、該トラッキングコイルの両側に対称となるように配置された少なくとも１対のフォーカスコイルとを備えたパターンコイルと、を含み、
前記１対のフォーカスコイルに流れる電流の方向に応じてフォーカス方向とチルト方向との駆動が選択的に行われるようになったことを特徴とする光ピックアップアクチュエータ。
【請求項２】
前記マグネットは、前記トラッキングコイルの中心を過ぎる垂直線を基準に左右に分極された２分極体であることを特徴とする請求項１に記載の光ピックアップアクチュエータ。
【請求項３】
トラッキング方向の電磁気力を発生させる前記トラッキングコイルの有効領域は、前記トラッキングコイルの実質的に垂直な部分であることを特徴とする請求項１又は請求項２に記載の光ピックアップアクチュエータ。
【請求項４】
フォーカシング方向の電磁気力を発生させる前記フォーカシングコイルの有効領域は、前記フォーカシングコイルの実質的に水平な部分であることを特徴とする請求項１又は請求項２に記載の光ピックアップアクチュエータ。
【請求項５】
前記パターンコイルは、インサートモールディングにより前記ブレードと一体に結合されたことを特徴とする請求項１乃至請求項４のうちいずれか１項に記載の光ピックアップアクチュエータ。
【請求項６】
前記弾力支持材は、一端が前記ホルダーに固定され、他端は前記パターンコイルに固定されたことを特徴とする請求項５に記載の光ピックアップアクチュエータ。
【請求項７】
前記パターンコイルの胴体上端面には本体内側に没入されている凹面が形成されたことを特徴とする請求項１乃至請求項６のうちいずれか１項に記載の光ピックアップアクチュエータ。
【請求項８】
前記ブレードの上部に設けられたストッパーをさらに含み、
前記凹面が前記パターンコイルの胴体上端面に形成され、前記ブレードの上昇駆動時に前記ストッパーが前記凹面に接するようになっていることを特徴とする請求項７に記載の光ピックアップアクチュエータ。
【発明の詳細な説明】
【技術分野】
【０００１】
本発明は光ピックアップアクチュエータに係り、特にパターンコイルを使用する光ピックアップアクチュエータに関する。
【背景技術】
【０００２】
一般に光ピックアップは対物レンズを通じて記録媒体であるディスクに光を照射して情報を記録するか、又はそれから反射される光を受光して情報を再生する装置であって、光がディスクの正確な位置に照射されるように対物レンズの位置を制御するアクチュエータを備えている。
【０００３】
図１は、このような光ピックアップアクチュエータであって、従来に採用された構造を示したものである。
【０００４】
示された光ピックアップアクチュエータは、対物レンズ１が搭載されるブレード２と、ブレード２をホルダー３に対して遊動自在に支持する複数のワイヤー７と、前記ブレード２をフォーカス方向Ｚ及びトラッキング方向Ｘに駆動させながら対物レンズ１の位置を制御するための電磁気駆動ユニットであって、ベース４に設置された１対のマグネット５とその間に配置されるようにブレード２に設置されたパターンコイル６とを含む。
【０００５】
前記パターンコイル６には図２のようにフォーカスコイル６ａ及びトラッキングコイル６ｂが形成されており、ここに電流を通電させれば前記マグネット５との相互作用による電磁気力が発生してブレード２が駆動される。例えば、図面に示したようにトラッキングコイル６ｂに電流が流れれば矢印Ｘ方向に電磁気力が発生し、また図面のようにフォーカスコイル６ａに電流が流れれば矢印Ｚ方向に電磁気力が発生する。従来はこのようなパターンコイル６の代りにブレード２の所定位置に巻かれた状態で設置されるワインディングコイルが採用されたりしたが、最近では光ピックアップの小型化に適したパターンコイル６がより好まれる。
【０００６】
ところで、最近では対物レンズ位置制御の精密度に対する要求が高まることによって、前記のようなフォーカス方向Ｚ及びトラッキング方向Ｘの制御のみならず、チルト方向（Ｔ；図１参照）への制御も必須に要求されている。しかし、図２のような構造のパターンコイル６ではチルト方向Ｔ駆動が不可能である。すなわち、図２のパターンコイル６は、フォーカス方向Ｚとトラッキング方向Ｘとの駆動だけ可能でチルト方向Ｔには駆動力を作りだせない。
【０００７】
一方、従来の電磁気駆動ユニットの他の一例として、図３に示したようなパターンコイル６′が提案された。ここでは、パターンコイル６′の本体の右側にフォーカスコイル６ａ′が配置され、左側にトラッキングコイル６ｂ′が配置され、それと対応するマグネット５′は３極に分極された形態を有している。したがって、例えば図面に示したようにフォーカスコイル６ａ′及びトラッキングコイル６ｂ′に電流が流れれば、各々矢印Ｚ方向とＸ方向に電磁気力が発生する。ところが、このパターンコイル６′もフォーカス方向Ｚとトラッキング方向Ｘとの駆動だけ可能で、チルト方向の駆動は不可能な構造である。それだけでなく、この構造においては磁場が非対称に形成されながらその漏れ磁束がフォーカス方向Ｚ及びトラッキング方向Ｘの相互間の電磁気力に影響を及ぼすために、マグネット５′とパターンコイル６′とを互いに近く配置し難い。したがって、その間隔を遠くせねばならないので制御の感度が落ちる短所がある。
【０００８】
したがって、このような短所を解消できる新しい構造の電磁気駆動ユニットを備えた光ピックアップアクチュエータが要求されている。
【発明の開示】
【発明が解決しようとする課題】
【０００９】
本発明は上記の必要性を勘案して創出されたものであって、フォーカス方向、トラッキング方向及びチルト方向の駆動をいずれも可能にするパターンコイルを備えた光ピックアップアクチュエータを提供することにその目的がある。
【課題を解決するための手段】
【００１０】
前記目的を達成するために本発明は、対物レンズが搭載されたブレードと、前記ブレードをベース上の所定ホルダーに対して遊動自在に支持する弾力支持材と、前記ベースに設置されるマグネットと、前記マグネットと対面するように前記ブレードに設置されたパターンコイルと、を含む光ピックアップアクチュエータにおいて、前記パターンコイルには、トラッキングコイルと、該トラッキングコイルの両側に対称となるように配置された少なくとも１対のフォーカスコイルと、が設けられて、前記１対のフォーカスコイルに流れる電流の方向に応じてフォーカス方向とチルト方向との駆動が選択的に行われるようになっていることを特徴とする。
【発明の効果】
【００１１】
前記のように本発明に係る光ピックアップアクチュエータは次のような効果を有する。
【００１２】
第１に、フォーカス及びトラッキング制御だけでなく、チルト制御も用意に行うことができて制御の精密度がさらに向上する。
【００１３】
第２に、マグネットの磁場が対称的に分布されるので、制御の安定性が高まる。
【発明を実施するための最良の形態】
【００１４】
以下、添付した図面を参照して本発明の望ましい実施形態について詳細に説明する。
【００１５】
図４は、本発明に係る光ピックアップアクチュエータの構造を示す。
【００１６】
図面を参照すれば、ベース４０上にホルダー３０が設けられており、対物レンズ１０を搭載したブレード２０が弾力支持材の複数のワイヤー７０により該ホルダー３０に遊動自在に支持されている。そして、前記ブレード２０をフォーカシング方向Ｚとトラッキング方向Ｘとに駆動させながら対物レンズ１０の位置を制御する電磁気駆動ユニットが備わる。ブレード２０の壁はキャビティ９０をなす。該電磁気駆動ユニットは、ベース４０に対向するように設置された１対のマグネット５０と、この１対のマグネット５０間に位置するように前記ブレード２０内にあるキャビティ９０に設置されたパターンコイル６０とを含む。
【００１７】
前記パターンコイル６０はインサートモールディングにより前記ブレード２０と一体に結合されたものであって、その中には中央に配置された１つのトラッキングコイル６２とその両側に対称的に配置される１対のフォーカスコイル６１とが設けられている。前記ワイヤー７０は、一端が前記ホルダー３０に固定され、他端は前記ブレード２０と一体に結合されたパターンコイル６０に半田付け固定されて前記ブレード２０の弾力的な遊動を支持し、前記フォーカスコイル６１とトラッキングコイル６２とに電流を供給する供給線の機能も兼ねる。もちろん、このためにパターンコイル６０には前記ワイヤー７０の半田付け部と各コイル６１、６２を連結する連結線（図示せず）が形成されている。
【００１８】
そして、前記マグネット５０は、前記トラッキングコイル６２の中心垂直線を基準に両側に分れて分極された２分極体からなる。
【００１９】
このようなマグネット５０とパターンコイル６０との互いに対面した状態を投影してみれば図５のようである。前記トラッキングコイル６２の電磁気力発生に用いられる有効コイル部は左右側の実質的に垂直な部分になり、前記フォーカスコイル６１の有効コイル部は実質的に水平な部分になる。
【００２０】
前記構成において、例えば図５に矢印５１で示したようにトラッキングコイル６２に電流が流れれば、フレミングの左手の法則によってＸ方向に電磁気力が発生する。したがって、パターンコイル６０及びそれと一体に結合されたブレード２０がＸ方向に駆動される。また、図５の矢印５２のように１対のフォーカスコイル６１に電流が供給されれば、同様にフレミングの左手の法則による電磁気力がＺ方向に作用する。したがって、パターンコイル６０及びブレード２０がＺ方向に駆動される。
【００２１】
ところで、もしチルト方向Ｔの駆動が必要な場合には、前記１対のフォーカスコイル６１に流れる電流を、例えば図６に矢印６５で示したように相等しい方向に流す。このようにすれば、フレミングの左手の法則によって図面の左側フォーカスコイルでは上昇方向に電磁気力が発生し、右側フォーカスコイルでは下降方向に電磁気力が発生するので、結果的にパターンコイル６０及びブレード２０が図面の時計方向に回る。同様に、電流の方向を反対にすれば反時計方向の駆動力が発生する。
【００２２】
したがって、前記１対のフォーカスコイル６１に流れる電流の方向を制御することによってフォーカス方向Ｚの駆動とチルト方向Ｔの駆動とをいずれも具現できる。また、マグネット５０の分極形態も、中心になるトラッキングコイル６２の中央垂直線を基準に両側に対称となるように分割されているので、図３に示された従来の一例のように非対称構造により発生する悪影響もなくなる。
【００２３】
一方、前記パターンコイル６０の胴体上端面には本体内側に没入された凹面６０ａが形成されている。前記凹面６０ａは、ブレード２０の上昇位置を制限するためのストッパー８０が接する部位である。前記ストッパー８０は、通常光ピックアップアクチュエータ全体を覆うカバー（図示せず）の内側面に設けられる。このようにストッパー８０が接する部位を凹面とする理由は、対物レンズ１０の昇降のための行程距離をさらに長く確保することができるためである。したがって、対物レンズ１０のフォーカス制御のための昇降行程距離を長く確保する必要がある場合には、ストッパー８０が接する部位を上記のように凹面６０ａに形成すれば効果的である。
【産業上の利用可能性】
【００２４】
本発明はパターンコイルを使用する光ピックアップアクチュエータに適用されうる。
【図面の簡単な説明】
【００２５】
【図１】従来の光ピックアップアクチュエータを示す図面である。
【図２】図１に示された光ピックアップアクチュエータの電磁気駆動ユニットを示す図面である。
【図３】従来の他の電磁気駆動ユニットを示す図面である。
【図４】本発明に係る光ピックアップアクチュエータを示す図面である。
【図５】図４に示された光ピックアップアクチュエータの電磁気駆動ユニットを示した図面である。
【図６】図４に示された光ピックアップアクチュエータの電磁気駆動ユニットを示した図面である。
【符号の説明】
【００２６】
１０  対物レンズ
２０  ブレード
３０  ホルダー
４０  ベース
５０  マグネット
６０  パターンコイル
６０ａ  凹面
６１  フォーカスコイル
６２  トラッキングコイル
７０  ワイヤー
【図１】
2004281038.tif 000003
【図２】
2004281038.tif 000004
【図３】
2004281038.tif 000005
【図４】
2004281038.tif 000006
【図５】
2004281038.tif 000007
【図６】
2004281038.tif 000008